(57)【特許請求の範囲】
【請求項１】
撮影候補の画像を表示する機能を有する移動端末装置であって、
主操作面側を撮影対象として第１画像データを生成する第１生成部と、
前記主操作面の背面側を撮影対象として第２画像データを生成する第２生成部と、
前記主操作面側に設けられ、前記第１画像データに対応し撮影対象と左右反対の第１画像、及び、前記第２画像データに対応し撮影対象と左右反対でない第２画像の両方を、撮影候補の画像として同時に表示する主表示部と、
操作者からの同時撮影の指示を受付ける同時撮影指示受付け部と、
前記同時撮影の指示を受付けると、撮影候補として表示した２つの画像のデータを記録する記録手段と
を備えることを特徴とする移動端末装置。
【請求項２】
前記記録手段は、
前記第１画像データ、及び、前記第２画像データの両方を、撮影対象と左右反対にしないで記録すること
を特徴とする請求項１に記載の移動端末装置。
【請求項３】
前記移動端末装置は、さらに、
前記背面側に設けられ、前記第２画像データに対応し撮影対象と左右反対の第３画像を表示する副表示部を備えること
を特徴とする請求項１に記載の移動端末装置。
【請求項４】
前記移動端末装置は、開閉式であり、閉状態と開状態とが存在し、前記主操作面は、閉状態において隠蔽され、開状態において露出し、前記背面は、閉状態及び開状態に拘わらず露出し、
前記移動端末装置は、さらに、操作者からの撮影準備の指示を受付ける準備指示受付け部と、
前記撮影準備の指示を受付けると、閉状態であるか開状態であるかを検出する検出手段とを備え、
前記第１生成部は、閉状態であると検出された場合には前記第１画像データを生成せず、開状態であると検出された場合において前記第１画像データを生成し、
前記第２生成部は、前記撮影準備の指示を受付けると、閉状態及び開状態に拘わらず、前記第２画像データを生成し、
前記主表示部は、閉状態であると検出された場合には撮影候補の画像を表示せず、開状態であると検出された場合において前記第１画像及び前記第２画像の両方を表示し、
前記移動端末装置は、さらに、前記背面側に設けられ、閉状態であると検出された場合において前記第２画像データに対応し撮影対象と左右反対の第３画像を表示する副表示部を備え、
前記記録手段は、
閉状態であると検出された場合においては、前記第１画像データを記録せず、前記第２画像データのみを記録すること
を特徴とする請求項１に記載の移動端末装置。
【請求項５】
前記記録手段は、
閉状態であると検出された場合において前記第２画像データを撮影対象と左右反対にしないで記録し、開状態であると検出された場合において前記第１画像データ及び前記第２画像データの両方を撮影対象と左右反対にしないで記録すること
を特徴とする請求項４に記載の移動端末装置。
【請求項６】
前記副表示部は、
前記撮影準備の指示を受付けると、開状態及び開状態に拘わらず、前記第３画像を表示すること
を特徴とする請求項４に記載の移動端末装置。
【請求項７】
移動端末装置において、周辺の撮影候補の画像を表示して記録する表示記録方法であって、
主操作面側を撮影対象として第１画像データを生成する第１生成ステップと、
前記主操作面の背面側を撮影対象として第２画像データを生成する第２生成ステップと、
前記主操作面側に設けられた主表示部に、前記第１画像データに対応し撮影対象と左右反対の第１画像、及び、前記第２画像データに対応し撮影対象と左右反対でない第２画像の両方を、撮影候補の画像として同時に表示する主表示ステップと、
操作者からの同時撮影指示を受付ける同時撮影指示受付けステップと、
前記同時撮影の指示を受付けると、撮影候補として表示した２つの画像のデータを記録する記録ステップと
を含むことを特徴とする表示記録方法。
【請求項８】
主操作面側に主表示部及び第１カメラが設けられる一方、主操作面の背面側に第２カメラが設けられ、前記第１カメラ及び前記第２カメラで撮影中の画像を前記主表示部に表示可能な移動端末装置であって、
前記画像の表示及び記録を制御する制御手段と、
前記画像の画像データを記憶する記憶部とを具備し、
前記制御手段は、前記第１カメラ及び前記第２カメラによる同時撮影の指示を受けた場合、前記第１カメラで撮影中の第１画像をミラー画像で、及び、前記第２カメラで撮影中の第２画像を非ミラー画像で、前記主表示部に同時に表示し、前記第１画像及び前記第２画像を前記主表示部に同時に表示している場合に画像データの記憶指示を受けたとき、前記第１画像のデータ及び前記第２画像のデータを合成して得られる第３画像のデータを前記記憶部に記憶すること
を特徴とする移動端末装置。
【請求項９】
前記背面側に副表示部を具備し、
前記制御手段は、前記第１画像及び前記第２画像を前記主表示部に同時に表示している場合、さらに、前記第２画像をミラー画像で前記副表示部に表示すること
を特徴とする請求項８に記載の移動端末装置。
【請求項１０】
前記背面側に副表示部を具備し、
前記制御手段は、
前記第１画像及び前記第２画像を前記主表示部に同時に表示している場合、前記副表示部に画像を表示させないこと
を特徴とする請求項８に記載の移動端末装置。
【請求項１１】
前記制御手段は、
前記第１画像及び前記第２画像を合成する場合、ミラー画像で表示している前記第１画像を非ミラー画像にして合成すること
を特徴とする請求項８に記載の移動端末装置。
【請求項１２】
前記制御手段は、
前記第３画像データを前記記憶部に記憶する以前に、前記第１画像及び前記第２画像を合成して得られた第３画像を前記主表示部に表示すること
を特徴とする請求項８に記載の移動端末装置。
【請求項１３】
前記制御手段は、前記第３画像を前記主表示部に表示する場合、編集可能な状態で表示すること
を特徴とする請求項１２に記載の移動端末装置。
【請求項１４】
前記制御手段は、前記第３画像を編集可能な状態で表示する場合、前記第１画像及び前記第２画像を別個に選択可能な状態で表示すること
を特徴とする請求項１３に記載の移動端末装置。
【請求項１５】
請求項１４に記載の移動端末装置において、
前記制御手段は、前記第３画像を編集可能な状態で表示する場合、前記第１画像及び前記第２画像を別個に編集可能な状態で表示すること
を特徴とする請求項１４に記載の移動端末装置。
【請求項１６】
主操作面側に主表示部及び第１カメラが設けられる一方、主操作面の背面側に第２カメラが設けられ、前記第１カメラ及び前記第２カメラで撮影中の画像を前記主表示部に表示可能な移動端末装置において前記画像の表示及び記憶を制御する表示記憶制御方法であって、
前記第１カメラ及び前記第２カメラによる同時撮影の指示を受ける受付ステップと、
前記同時撮影の指示を受けた場合、前記第１カメラで撮影中の第１画像をミラー画像で、及び、前記第２カメラで撮影中の第２画像を非ミラー画像で、前記主表示部に同時に表示する表示ステップと、
前記第１画像及び前記第２画像を前記主表示部に同時に表示している場合に画像データの記憶指示を受けたとき、前記第１画像のデータ及び前記第２画像のデータを合成して得られる第３画像のデータを記憶する記憶ステップと
を含むことを特徴とする表示記憶制御方法。
【請求項１７】
前記表示ステップは、前記第１画像及び前記第２画像を前記主表示部に同時に表示している場合、さらに、前記第２画像をミラー画像で前記移動端末装置の背面側に具備する副表示部に表示すること
を特徴とする請求項１６に記載の表示記憶制御方法。
【請求項１８】
前記表示ステップは、前記第１画像及び前記第２画像を前記主表示部に同時に表示している場合、前記移動端末装置の背面側に具備する副表示部に画像を表示させないこと
を特徴とする請求項１６に記載の表示記憶制御方法。
【請求項１９】
前記記憶ステップは、前記第１画像及び前記第２画像を合成する場合、ミラー画像で表示している前記第１画像を非ミラー画像にして合成すること
を特徴とする請求項１６に記載の表示記憶制御方法。
【請求項２０】
前記表示ステップは、前記第３画像データが記憶される以前に、前記第１画像及び前記第２画像を合成して得られた第３画像を前記主表示部に表示すること
を特徴とする請求項１６に記載の表示記憶制御方法。
【請求項２１】
移動端末装置に表示記憶制御処理手順を実行させるプログラムであって、
前記移動端末装置は、主操作面側に主表示部及び第１カメラが設けられる一方、主操作面の背面側に第２カメラが設けられ、前記第１カメラ及び前記第２カメラで撮影中の画像を前記主表示部に表示可能であり、
前記移動端末装置に、
前記第１カメラ及び前記第２カメラによる同時撮影の指示を受ける受付ステップと、
前記同時撮影の指示を受けた場合、前記第１カメラで撮影中の第１画像をミラー画像で、及び、前記第２カメラで撮影中の第２画像を非ミラー画像で、前記主表示部に同時に表示する表示ステップと、
前記第１画像及び前記第２画像を前記主表示部に同時に表示している場合に画像データの記憶指示を受けたとき、前記第１画像のデータ及び前記第２画像のデータを合成して得られる第３画像のデータを記憶する記憶ステップと
を実行させることを特徴とするプログラム。
【請求項２２】
前記表示ステップは、前記第１画像及び前記第２画像を前記主表示部に同時に表示している場合、さらに、前記第２画像をミラー画像で前記移動端末装置の背面側に具備する副表示部に表示すること
を特徴とする請求項２１に記載のプログラム。
【請求項２３】
前記表示ステップは、前記第１画像及び前記第２画像を前記主表示部に同時に表示している場合、前記移動端末装置の背面側に具備する副表示部に画像を表示させないこと
を特徴とする請求項２１に記載のプログラム。
【請求項２４】
前記記憶ステップは、前記第１画像及び前記第２画像を合成する場合、ミラー画像で表示している前記第１画像を非ミラー画像にして合成すること
を特徴とする請求項２１に記載のプログラム。
【請求項２５】
前記表示ステップは、前記第３画像データが記憶される以前に、前記第１画像及び前記第２画像を合成して得られた第３画像を前記主表示部に表示すること
を特徴とする請求項２１に記載のプログラム。
【発明の詳細な説明】
【０００１】
【発明の属する技術分野】
本発明は、撮影機能を有する移動端末装置に関し、特に、撮影時の利便性を向上させる技術に関する。
【０００２】
【従来の技術】
近年、撮影機能を有する携帯電話及びＰＤＡ（Personal Digital Assistance）などの移動端末が普及しつつある。
この様な撮影機能を有する移動端末は、人物及び風景などの被写体からの光を、本体に取り付けたレンズによりＣＣＤ(charged coupled device)などの受光素子の受光面に結像して、結像された被写体像を受光素子により画像データに変換し、画像データを記録媒体に記録することで周辺画像を撮影し、記録した画像データを送受信したり、電話番号やメールアドレスと対応付けて記録することができる。
【０００３】
従来の移動端末の多くは、ＬＣＤ等の表示部を備えており、表示部に操作メニューや電子メールを表示したり、受光素子が出力する画像データや記録している画像データを再生して、画像を表示することができる。
撮影に際して、受光素子が出力する画像データを逐次再生して被写体像を表示部に表示することにより、利用者は、当該表示部をファインダー代わりに用いて、構図を確認しながら被写体を撮影することができる。
【０００４】
【発明が解決しようとする課題】
しかしながら、レンズ、表示部、及び被写体の位置関係によって、当該表示部をファインダー代わりに用いることができない場合がある。
例えば、レンズと表示部とが表面と背面とにそれぞれ設けられている移動端末では、自分自身の被写体像を確認しながら自分を撮影することができない。
【０００５】
また、レンズと表示部とが同一面に設けられている移動端末では、被写体像を確認しながら自分が写らないように風景などを撮影することができない。
また、自分と対面している風景などと自分とを同時に、両方の被写体像を確認しながら撮影することができれば望ましい。
本発明は、いろいろな状況において、撮影者や被撮影者が被写体像を確認しながら撮影することができる移動端末装置、及び、撮影候補の画像を表示する表示方法を提供することを目的とする。
【０００６】
【課題を解決するための手段】
上記の目的を達成するために、本発明に係る移動端末装置は、撮影候補の画像を表示する機能を有する移動端末装置であって、主操作面側を撮影対象として第１画像データを生成する第１生成部と、前記主操作面の背面側を撮影対象として第２画像データを生成する第２生成部と、前記主操作面側に設けられ前記第１画像データに対応し撮影対象と左右反対の第１画像及び前記第２画像データに対応し撮影対象と左右反対でない第２画像の両方を撮影候補の画像として同時に表示する主表示部とを備えることを特徴とする。
【０００７】
上記の目的を達成するために、本発明に係る表示方法は、移動端末装置において周辺の撮影候補の画像を表示する表示方法であって、主操作面側を撮影対象として第１画像データを生成する第１生成ステップと、前記主操作面の背面側を撮影対象として第２画像データを生成する第２生成ステップと、前記主操作面側に設けられた主表示部に前記第１画像データに対応し撮影対象と左右反対の第１画像及び前記第２画像データに対応し撮影対象と左右反対でない第２画像の両方を撮影候補の画像として同時に表示する主表示ステップとを含むことを特徴とする。
【０００８】
これによって、自分と対面している風景などと自分とを同時に撮影しようとする場合に、自分自身の被写体像が左右反転した鏡に写った像のように表示され、風景などの被写体像が左右反転しないで表示される。
従って、撮影者が両方の被写体像を確認しながら撮影することができ、さらには自身の被写体像を日常鏡を見る感覚で確認できるので、撮影位置の修正等がし易く違和感が生じない。
【０００９】
【発明の実施の形態】
＜実施の形態１＞
＜概要＞
本発明の実施の形態１は、撮影機能を有する携帯電話であって、カメラ２個とディスプレイ２個とを備え、操作ボタンが設置された撮影時に通常見る主操作面に一方のカメラとディスプレイとを、主操作面の背面に他方のカメラとディスプレイとを配置し、主操作面に設置したカメラで自分の画像データを取り込み、背面に設置したカメラで他人の画像データを取り込み、主操作面に設置したディスプレイに自分と他人の画像を表示して撮影者が確認しながら撮影し、背面に設置したディスプレイに他人の画像を表示して他人が確認することをができる携帯電話である。
【００１０】
＜構成＞
図１（ａ）〜（ｂ）は、本発明の実施の形態１における移動端末の外観を示す図であり、図１（ａ）は正面図、図１（ｂ）は背面図である。
図１（ａ）〜（ｂ）に示す移動端末は、折畳可能な携帯電話１００であり、第１筐体と第２筐体とが可動部において折畳可能に連結されてなり、折畳状態において隠蔽され展開状態において露出する、テンキー等の操作部分が配置された主操作面に第１カメラ１０１及びメインディスプレイ１０６を配置し、主操作面の背面に第２カメラ１０２及びサブディスプレイ１０７を配置する。
【００１１】
折畳可能な携帯電話は一般的に、通話時、通話に関連する主な操作時、及び、電子メールに関連する主な操作時には展開状態にされる一方、待ち受け時、及び、特定の簡単な操作時には折畳状態にされる。例えば、ある携帯電話は、折畳状態において、記憶している電話番号の中から所望の発呼先を指示された後、展開状態にされることにより、当該発呼先に対応する電話番号へ自動的にダイヤルする機能を有している。
【００１２】
図２は、本発明の実施の形態１における携帯電話の構成の概略を示す図である。
図２に示す携帯電話１００は、第１カメラ１０１、第２カメラ１０２、第１画像処理部１０３、第２画像処理部１０４、制御部１０５、メインディスプレイ１０６、サブディスプレイ１０７、記憶部１０８、テンキー部１０９、操作キー部１１０、送受信部１１１、タイマ部１１２、電力供給部１１３、音声入力部１１４、及び、音声出力部１１５を備える。
【００１３】
第１カメラ１０１は、ＣＣＤやＣ−ＭＯＳ人工網膜ＩＣなどの受光素子やレンズを有し、メインディスプレイ１０６を視認可能な位置に設けられ、レンズにより被写体像を受光素子の受光面に結像し、受光素子により被写体像を画像信号に変換して出力する。
第２カメラ１０２は、第１カメラ１０１と同様にＣＣＤやＣ−ＭＯＳ人工網膜ＩＣなどの受光素子やレンズを有し、サブディスプレイ１０７を視認可能な位置に設けられ、レンズにより被写体像を受光素子の受光面に結像し、受光素子により被写体像を画像信号に変換して出力する。
【００１４】
第１画像処理部１０３は、ＡＤ変換回路や一時的にデータを格納するためのメモリを有し、第１カメラ１０１により出力された画像信号をＡＤ変換し、さらに所定のデータ変換を施して、携帯電話１００に適したデータ形式に変換した画像データを生成し、制御部１０５に出力する。
第２画像処理部１０４は、第１画像処理部１０３と同様にＡＤ変換回路や一時的にデータを格納するためのメモリを有し、第２カメラ１０２により出力された画像信号をＡＤ変換し、さらに所定のデータ変換を施して、携帯電話１００に適したデータ形式に変換した画像データを生成し、制御部１０５に出力する。
【００１５】
制御部１０５は、無線通信処理や画像処理等を制御するＤＳＰ（Ｄｉｇｉｔａｌ  Ｓｉｇｎａｌ  Ｐｒｏｃｅｓｓｏｒ）を有し、ユーザからテンキー部１０９及び操作キー部１１０等を介して各種指示を受付け、当該指示を実施すべく他の構成要素を制御する。
例えば、ユーザから第１カメラ１０１による撮影準備の指示がなされた場合には、第１カメラ１０１に通電してスタンバイさせ、第１画像処理部１０３より出力される画像データを再生して、メインディスプレイ１０６が見える方向の画像をメインディスプレイ１０６に表示させる。ここで、メインディスプレイ１０６に表示させる画像は、主に撮影者自身が自分の写り具合を確認する為に用いられるものなので、ミラー画像を表示してもよい。
【００１６】
ここでミラー画像とは、撮影者が人物や風景を撮影した場合に得られる通常の画像に対し、当該通常の画像の左右を反転して得られる画像である。例えば、右手でＯＫサインを出して鏡を見ると左手でＯＫサインを出したように見えるが、撮影者である自分を被写体として表示する場合にはミラー画像の方が違和感がない。また非ミラー画像とは、当該通常の画像を意味する。
【００１７】
図３（ａ）は、第１カメラ１０１のスタンバイ中に、撮影すべき撮影者の像を示す図である。
図３（ｂ）は、第１カメラ１０１のスタンバイ中に、撮影者自身のミラー画像が表示されたメインディスプレイ１０６の例を示す図である。
メインディスプレイ１０６に撮影者のミラー画像を表示する場合には、撮影者は日常鏡を見る感覚で画像を確認できるので違和感が生じない。
【００１８】
また例えば、ユーザから第２カメラ１０２による撮影準備の指示がなされた場合には、第２カメラ１０２に通電してスタンバイさせ、第２画像処理部１０４より出力される画像データを再生して、サブディスプレイ１０７が見える方向の画像をメインディスプレイ１０６及びサブディスプレイ１０７に表示させる。ここで、メインディスプレイ１０６に表示させる画像は、主に撮影者が自分以外の被写体の写り具合を確認する為に用いられるものなので非ミラー画像を表示し、サブディスプレイ１０７に表示させる画像は、被写体である被撮影者が自分の写り具合を確認する為に用いられるものなのでミラー画像を表示してもよい。
【００１９】
図４（ａ）は、第２カメラ１０２のスタンバイ中に、被撮影者のミラー画像が表示されたサブディスプレイ１０７の例を示す図である。
図４（ｂ）は、第２カメラ１０２のスタンバイ中に、被撮影者の非ミラー画像が表示されたメインディスプレイ１０６の例を示す図である。
サブディスプレイ１０７に被撮影者のミラー画像を表示する場合には、被撮影者は日常鏡を見る感覚で画像を確認できるので違和感が生じない。
【００２０】
また例えば、ユーザから第１カメラ１０１と第２カメラ１０２の両方による撮影準備の指示がなされた場合には、第１カメラ１０１及び第２カメラ１０２に通電してスタンバイさせ、第１画像処理部１０３より出力される画像データと第２画像処理部１０４より出力される画像データとを再生して、両方の画像をメインディスプレイ１０６に表示させ、サブディスプレイ１０７が見える方向の画像をサブディスプレイ１０７に表示させる。ここで、メインディスプレイ１０６に表示させる画像は、主に撮影者が自分と自分以外の被写体の写り具合を確認する為に用いられるものなので、自分が写っている側の画像はミラー画像を表示し、自分以外の被写体が写っている側の画像は非ミラー画像を表示し、サブディスプレイ１０７に表示させる画像は、被写体である被撮影者が自分の写り具合を確認する為に用いられるものなので、ミラー画像を表示してもよい。
【００２１】
図５（ａ）は、第１カメラ１０１及び第２カメラ１０２のスタンバイ中に、被撮影者のミラー画像が表示されたサブディスプレイ１０７の例を示す図である。図５（ｂ）は、第１カメラ１０１及び第２カメラ１０２のスタンバイ中に、撮影者自身のミラー画像と被撮影者の非ミラー画像が表示されたメインディスプレイ１０６の例を示す図である。
【００２２】
メインディスプレイ１０６に撮影者のミラー画像を表示し、サブディスプレイ１０７に被撮影者のミラー画像を表示する場合には、撮影者及び被撮影者は日常鏡を見る感覚で画像を確認できるので違和感が生じない。
メインディスプレイ１０６は、ＬＣＤや有機ＥＬ（Electro Luminescence）ディスプレイパネルなどの表示デバイスを有し、ユーザがテンキー部１０９や操作キー部１１０により操作指示を行う際に参照できる位置に設けられ、制御部１０５から受け取った画像データや文字データ等に基づいて、画像や文字を画面上に表示する。
【００２３】
サブディスプレイ１０７は、メインディスプレイ１０６同様ＬＣＤや有機ＥＬディスプレイパネルなどの表示デバイスを有し、メインディスプレイ１０６の背面に設けられ、制御部１０５から受け取った画像データや文字データに基づいて、画像や文字を画面上に表示する。
記憶部１０８は、フラッシュメモリ等の不揮発性記録媒体を有し、着信履歴、電話帳、画像データ、及び、各種設定等を記録する。
【００２４】
例えば記憶部１０８は、ユーザから撮影の指示がなされた場合に、制御部１０５から画像データを受け取り記録する。
テンキー部１０９は、、番号や文字などを入力するためのボタンを有し、ユーザから電話番号やＥメールなどの入力を受付ける。
操作キー部１１０は、各種動作指示などを入力するためのボタンやジョグキー等を有し、ユーザから画像の撮影、メールの送受信、電源のＯＮ／ＯＦＦ、オン／オフフックなどの指示を受付ける。
【００２５】
送受信部１１１は、アンテナ、復変調回路、増幅回路等を有し、音声、画像及び文字等のデータを送受信する。
タイマ部１１２は、時刻情報を管理し、制御部１０５からの指示に基づいて時刻情報を出力する
電力供給部１１３は、制御部１０５からの指示にもとづき、各構成要素へ電力を供給及び停止する機能を有する。
【００２６】
音声入力部１１４は、セラミックマイクなどを有し、音声を電気信号に変換して制御部１０５に出力する。
音声出力部１１５は、セラミッ クスピーカなどを有し、制御部１０５から出力される電気信号を音声に変換する。
なお、無線通信処理等の携帯電話の一般的な処理については、従来と同様であるため、詳細な説明を省略する。
【００２７】
＜動作＞
図６は、本発明の実施の形態１における移動端末が実行する撮影動作の概略を示す図である。
以下に、図６を用いて撮影動作の概略を説明する。
（１）操作キー部１１０が、ユーザから何らかの指示を受付ける（ステップＳ１）。
【００２８】
（２）制御部１０５が、受付けられた指示が「自分を撮影する準備」であるか否かを判断する（ステップＳ２）。
（３）制御部１０５が、受付けられた指示が「自分以外を撮影する準備」であるか否かを判断する（ステップＳ３）。
（４）制御部１０５が、受付けられた指示が「自分と自分以外とを同時に撮影する準備」であるか否かを判断する（ステップＳ４）。
【００２９】
（５）制御部１０５が、受付けられた指示が撮影の準備に関するものでない他の処理の指示である場合には、当該他の処理を実行するよう制御する（ステップＳ５）。
（６）受付けられた指示が「第１カメラで自分を撮影する準備」である場合には、制御部１０５が第１カメラ１０１をスタンバイさせ、第１画像処理部１０３より出力される画像データを再生して、画像をメインディスプレイ１０６に表示させる（ステップＳ６）。
【００３０】
（７）受付けられた指示が「第２カメラで自分以外を撮影する準備」である場合には、制御部１０５が第２カメラ１０２をスタンバイさせ、第２画像処理部１０４より出力される画像データを再生して、画像をメインディスプレイ１０６及びサブディスプレイ１０７に表示させる（ステップＳ７）。
（８）受付けられた指示が「第１カメラで自分を、第２カメラで自分以外を、同時に撮影する準備」である場合には、制御部１０５が第１カメラ１０１と第２カメラ１０２との両方をスタンバイさせ、第１画像処理部１０３より出力される画像データと第２画像処理部１０４より出力される画像データとを再生して、両方の画像をメインディスプレイ１０６に表示させ、サブディスプレイ１０７が見える方向の画像をサブディスプレイ１０７に表示させる（ステップＳ８）。
【００３１】
（９）ユーザから撮影する準備を終了する指示を受付ける（ステップＳ９）。
（１０）ユーザから撮影する指示を受付ける（ステップＳ１０）。
（１１）撮影キーが押下される等して、ユーザから撮影する指示を受付けた場合には、制御部１０５が画像データを記憶部１０８に格納する（ステップＳ１１）。
【００３２】
以上のように、本発明の実施の形態１によれば、主操作面に設置したカメラで自分を、背面に設置したカメラで他人を撮影することができ、主操作面に設置したディスプレイと背面に設置したディスプレイとに撮影準備中の被写体像を表示して、撮影者と被撮影者の双方が被写体像を確認しながら撮影することができる。
＜実施の形態２＞
＜概要＞
本発明の実施の形態２は、撮影機能を有する折畳式の携帯電話であって、実施の形態１の携帯電話に、さらに折畳状態か展開状態かを検出する機能を備え、展開状態の場合には実施の形態１と同様に動作し、折畳状態の場合には背面に設置したカメラで画像データを取り込み、主操作面に設置したディスプレイに画像を表示して確認しながら撮影することを可能にした携帯電話である。
【００３３】
＜構成＞
図７は、本発明の実施の形態２における携帯電話の構成の概略を示す図である。
図７に示す携帯電話２００は、検出部２０１、第１カメラ１０１、第２カメラ１０２、第１画像処理部１０３、第２画像処理部１０４、制御部２０２、メインディスプレイ１０６、サブディスプレイ１０７、記憶部１０８、テンキー部１０９、操作キー部１１０、送受信部１１１、タイマ部１１２、電力供給部１１３、音声入力部１１４、及び、音声出力部１１５を備える。
【００３４】
ここで、実施の形態１と同様の機能を備える構成要素には同一番号を付し、その説明を省略する。
検出部２０１は、折畳状態であるか展開状態であるかを検出する。
制御部２０２は、制御部１０５同様、無線通信処理や画像処理等を制御するＤＳＰを有し、ユーザからテンキー部１０９及び操作キー部１１０等を介して各種指示を受付け、検出部２０１による検出結果に応じて当該指示を実施すべく他の構成要素を制御する。
【００３５】
例えば、ユーザから撮影準備の指示がなされた場合には、まず検出部２０２が折畳状態であるか展開状態であるかを検出する。
次に、折畳状態であると検出された場合には、制御部２０２が、第２カメラ１０２に通電してスタンバイさせ、第２画像処理部１０４より出力される画像データを再生して、サブディスプレイ１０７が見える方向の画像をサブディスプレイ１０７に表示させる。ここで、サブディスプレイ１０７に表示させる画像は、主に撮影者自身が自分の写り具合を確認する為に用いられるものなので、ミラー画像を表示してもよい。
【００３６】
また、展開状態であると検出された場合には、制御部２０２が、第１カメラ１０１及び第２カメラ１０２に通電してスタンバイさせ、第１画像処理部１０３より出力される画像データと第２画像処理部１０４より出力される画像データとを再生して、両方の画像をメインディスプレイ１０６に表示させ、サブディスプレイ１０７が見える方向の画像をサブディスプレイ１０７に表示させる。ここで、メインディスプレイ１０６に表示させる画像は、主に撮影操作者が自分と自分以外の被写体の写り具合を確認する為に用いられるものなので、自分が写っている側の画像はミラー画像を表示し、自分以外の被写体が写っている側の画像は非ミラー画像を表示し、サブディスプレイ１０７に表示させる画像は、被写体である被撮影者が自分の写り具合を確認する為に用いられるものなので、ミラー画像を表示してもよい。
【００３７】
図８（ａ）は、折畳状態であると検出された場合に、撮影すべき撮影者の像を示す図である。
図８（ｂ）は、折畳状態であると検出された場合にに、撮影者自身のミラー画像が表示されたサブディスプレイ１０７の例を示す図である。
図９（ａ）は、展開状態であると検出された場合に、被撮影者のミラー画像が表示されたサブディスプレイ１０７の例を示す図である。
【００３８】
図９（ｂ）は、展開状態であると検出された場合に、撮影者自身のミラー画像と被撮影者の非ミラー画像が表示されたメインディスプレイ１０６の例を示す図である。
メインディスプレイ１０６に撮影者のミラー画像を表示し、サブディスプレイ１０７に撮影者や被撮影者のミラー画像を表示する場合には、撮影者及び被撮影者は日常鏡を見る感覚で画像を確認できるので違和感が生じない。
【００３９】
＜動作＞
図１０は、本発明の実施の形態２における移動端末が実行する撮影動作の概略を示す図である。
以下に、図１０を用いて撮影動作の概略を説明する。
（１）操作キー部１１０が、ユーザから撮影準備の指示を受付ける（ステップＳ２１）。
【００４０】
（２）検出部２０１が、折畳状態であるか展開状態であるかを検出する（ステップＳ２２）。
（３）折畳状態であると検出された場合には、制御部２０２が、第２カメラ１０２をスタンバイさせ、第２画像処理部１０４より出力される画像データを再生して、画像をサブディスプレイ１０７に表示させる（ステップＳ２３）。
【００４１】
（４）展開状態であると検出された場合には、制御部２０２が、第１カメラ１０１及び第２カメラ１０２をスタンバイさせ、第１画像処理部１０３より出力される画像データと第２画像処理部１０４より出力される画像データとを再生して、両方の画像をメインディスプレイ１０６に表示させ、サブディスプレイ１０７が見える方向の画像をサブディスプレイ１０７に表示させる（ステップＳ２４）。
【００４２】
（５）ユーザから撮影する準備を終了する指示を受付ける（ステップＳ２５）。
（６）ユーザから撮影する指示を受付ける（ステップＳ２６）。
（７）撮影キーが押下される等して、ユーザから撮影する指示を受付けた場合には、制御部２０２が画像データを記憶部１０８に格納する（ステップＳ２７）。
【００４３】
以上のように、本発明の実施の形態２よれば、折畳状態であるか展開状態であるかに応じて、操作面に設置したカメラで自分を、背面に設置したカメラで他人を撮影することができ、操作面に設置したディスプレイと背面に設置したディスプレイとに撮影準備中の被写体像を表示して、撮影操作者と被撮影者の双方が被写体像を確認しながら撮影することができる。
【００４４】
なお、主操作面に設置したカメラで自分を、背面に設置したカメラで風景等を同時に撮影するような場合には、メインディスプレイ１０６には上記と同様に両方の画像を表示させるが、サブディスプレイ１０７には画像を表示させないようにしてもよい。
また、第１カメラ及び第２カメラによる同時撮影の指示をユーザから受けた場合、第１カメラで撮影中の第１画像はミラー画像で、第２カメラで撮影中の第２画像は非ミラー画像で、主表示部に同時に表示してもよい。
【００４５】
また、記第１画像及び第２画像を主表示部に同時に表示している場合、第２画像はミラー画像で副表示部に表示してもよい。
また、第１画像及び第２画像を主表示部に同時に表示している場合、画像データの記憶指示を受けたとき、第１画像及び第２画像を合成して得られる第３画像データを記憶部に記憶してもよい。
【００４６】
また、第１画像及び第２画像を合成する場合、ミラー画像で表示している第１画像を非ミラー画像にして合成してもよい。
また、第３画像データを記憶部に記憶する以前に、前記第１画像及び前記第２画像を合成して得られた第３画像を主表示部に表示してもよい。
また、第３画像を主表示部に表示する場合、編集可能な状態で表示してもよい。
【００４７】
また、第３画像を編集可能な状態で表示する場合、第１画像及び第２画像を別個に選択可能に表示してもよい。
また、第３画像を編集可能な状態で表示する場合、第１画像及び第２画像を別個に選択して可能に表示してもよい。
また、コンピュータに本実施の形態１、２のような動作を実行させることができるプログラムがコンピュータ読み取り可能な記録媒体に記録され、この記録媒体が流通し取り引きの対象となりうる。また、当該プログラムは、例えばネットワーク等を介して流通し、取り引きの対象となりうる。
【００４８】
ここでコンピュータ読み取り可能な記録媒体とは、例えば、フロッピーディスク、ＣＤ、ＭＯ、ＤＶＤ、メモリカード等の着脱可能な記録媒体、及び、ハードディスク、半導体メモリ等の固定記録媒体等であり、特に限定されるものではない。
【００４９】
【発明の効果】
本発明に係る移動端末装置は、撮影候補の画像を表示する機能を有する移動端末装置であって、主操作面側を撮影対象として第１画像データを生成する第１生成部と、前記主操作面の背面側を撮影対象として第２画像データを生成する第２生成部と、前記主操作面側に設けられ前記第１画像データに対応し撮影対象と左右反対の第１画像及び前記第２画像データに対応し撮影対象と左右反対でない第２画像の両方を撮影候補の画像として同時に表示する主表示部とを備えることを特徴とする。
【００５０】
本発明に係る表示方法は、移動端末装置において周辺の撮影候補の画像を表示する表示方法であって、主操作面側を撮影対象として第１画像データを生成する第１生成ステップと、前記主操作面の背面側を撮影対象として第２画像データを生成する第２生成ステップと、前記主操作面側に設けられた主表示部に前記第１画像データに対応し撮影対象と左右反対の第１画像及び前記第２画像データに対応し撮影対象と左右反対でない第２画像の両方を撮影候補の画像として同時に表示する主表示ステップとを含むことを特徴とする。
【００５１】
これによって、自分と対面している風景などと自分とを同時に撮影しようとする場合に、自分自身の被写体像が左右反転した鏡に写った像のように表示され、風景などの被写体像が左右反転しないで表示される。
従って、撮影者が両方の被写体像を確認しながら撮影することができ、さらには自身の被写体像を日常鏡を見る感覚で確認できるので、撮影位置の修正等がし易く違和感が生じない。
【００５２】
また、前記移動端末装置は、さらに、操作者からの撮影指示を受付ける撮影指示受付け部と、前記撮影指示を受付けると前記第１画像データ及び前記第２画像データの両方を撮影対象と左右反対にしないで記録することにより撮影を完結する記録手段を備えることを特徴とすることもできる。
これによって、撮影指示を受付けると、第１画像データと第２画像データの両方をそのまま記録することができる。
【００５３】
また、前記移動端末装置は、さらに、前記背面側に設けられ前記第２画像データに対応し撮影対象と左右反対の第３画像を表示する副表示部を備えることを特徴とすることもできる。
これによって、自分と対面している人物と自分とを同時に撮影しようとする場合に、対面している人物の被写体像が副表示部に左右反転した鏡に写った像のように表示される。
【００５４】
従って、対面している人物が自身の被写体像を日常鏡を見る感覚で確認できるので、撮影位置の修正等がし易く違和感が生じない。
また、前記移動端末装置は開閉式であり閉状態と開状態とが存在し、前記主操作面は閉状態において隠蔽され開状態において露出し、前記背面は閉状態及び開状態に拘わらず露出し、前記移動端末装置は、さらに、操作者からの撮影準備の指示を受付ける準備指示受付け部と、前記撮影準備の指示を受付けると閉状態であるか開状態であるかを検出する検出手段とを備え、前記第１生成部は閉状態であると検出された場合には前記第１画像データを生成せず開状態であると検出された場合において前記第１画像データを生成し、前記第２生成部は前記撮影準備の指示を受付けると閉状態及び開状態に拘わらず前記第２画像データを生成し、前記主表示部は閉状態であると検出された場合には撮影候補の画像を表示せず開状態であると検出された場合において前記第１画像及び前記第２画像の両方を表示し、前記移動端末装置は、さらに、前記背面側に設けられ閉状態であると検出された場合において前記第２画像データに対応し撮影対象と左右反対の第３画像を表示する副表示部を備えることを特徴とすることもできる。
【００５５】
これによって、撮影準備の指示を受付けると、閉状態である場合には第２生成部により第２画像データが生成され、副表示部により被写体像が左右反転した鏡に写った像のように表示され、開状態である場合には、第１生成部により第１画像データが、第２生成部により第２画像データが生成され、主表示部により自分自身の被写体像が左右反転した鏡に写った像のように表示され、風景などの被写体像が左右反転しないで表示される。
【００５６】
また、前記移動端末装置は、さらに、前記撮影準備の指示がなされた後に操作者からの撮影指示を受付ける撮影指示受付け部と、前記撮影指示を受付けると閉状態であると検出された場合において前記第２画像データを撮影対象と左右反対にしないで記録し開状態であると検出された場合において前記第１画像データ及び前記第２画像データの両方を撮影対象と左右反対にしないで記録することにより撮影を完結する記録手段を備えることを特徴とすることもできる。
【００５７】
これによって、撮影指示を受付けると、閉状態である場合には第２画像データをそのまま記録することができ、開状態である場合には第１画像データと第２画像データの両方をそのまま記録することができる。
また、移動端末装置において、前記副表示部は、前記撮影準備の指示を受付けると開状態及び開状態に拘わらず前記第３画像を表示することを特徴とすることもできる。
【００５８】
これによって、撮影準備の指示を受付け、開状態である場合に、副表示部により被写体像が左右反転した鏡に写った像のように表示される。
本発明に係る移動端末装置は、主操作面側に主表示部及び第１カメラが設けられる一方、主操作面の背面側に第２カメラが設けられ、前記第１カメラ及び前記第２カメラで撮影中の画像を前記主表示部に表示可能な移動端末装置であって、前記画像の表示を制御する制御手段を具備し、前記制御手段は、前記第１カメラ及び前記第２カメラによる同時撮影の指示を受けた場合、前記第１カメラで撮影中の第１画像をミラー画像で、及び、前記第２カメラで撮影中の第２画像を非ミラー画像で、前記主表示部に同時に表示することを特徴とする。また、前記背面側に副表示部を具備し、前記制御手段は、前記第１画像及び前記第２画像を前記主表示部に同時に表示している場合、前記第２画像をミラー画像で前記副表示部に表示することを特徴とすることもできる。また、前記画像の画像データを記憶する記憶部を具備し、前記制御手段は、前記第１画像及び前記第２画像を前記主表示部に同時に表示している場合、画像データの記憶指示を受けたとき、前記第１画像及び前記第２画像を合成して得られる第３画像データを前記記憶部に記憶することを特徴とすることもできる。また、前記制御手段は、前記第１画像及び前記第２画像を合成する場合、ミラー画像で表示している前記第１画像を非ミラー画像にして合成することを特徴とすることもできる。また、前記制御手段は、前記第３画像データを前記記憶部に記憶する以前に、前記第１画像及び前記第２画像を合成して得られた第３画像を前記主表示部に表示することを特徴とすることもできる。また、前記制御手段は、前記第３画像を前記主表示部に表示する場合、編集可能な状態で表示することを特徴とすることもできる。また、前記制御手段は、前記第３画像を編集可能な状態で表示する場合、前記第１画像及び前記第２画像を別個に選択可能に表示することを特徴とすることもできる。また、前記制御手段は、前記第３画像を編集可能な状態で表示する場合、前記第１画像及び前記第２画像を別個に選択して可能に表示することを特徴とすることもできる。
【００５９】
本発明に係る表示制御方法は、主操作面側に主表示部及び第１カメラが設けられる一方、主操作面の背面側に第２カメラが設けられ、前記第１カメラ及び前記第２カメラで撮影中の画像を前記主表示部に表示可能な移動端末装置の表示制御方法であって、前記画像の表示を制御する制御ステップを含み、前記制御ステップは、前記第１カメラ及び前記第２カメラによる同時撮影の指示を受けた場合、前記第１カメラで撮影中の第１画像をミラー画像で、及び、前記第２カメラで撮影中の第２画像を非ミラー画像で、前記主表示部に同時に表示することを特徴とする。また、前記制御ステップは、前記第１画像及び前記第２画像を前記主表示部に同時に表示している場合、前記第２画像をミラー画像で前記移動端末装置の背面側に具備する副表示部に表示することを特徴とすることもできる。また、前記制御ステップは、前記第１画像及び前記第２画像を前記主表示部に同時に表示している場合、画像データの記憶指示を受けたとき、前記第１画像及び前記第２画像を合成して得られる第３画像データを記憶部に記憶することを特徴とすることもできる。また、前記制御ステップは、前記第１画像及び前記第２画像を合成する場合、ミラー画像で表示している前記第１画像を非ミラー画像にして合成することを特徴とすることもできる。また、前記制御ステップは、前記第３画像データを前記記憶部に記憶する以前に、前記第１画像及び前記第２画像を合成して得られた第３画像を前記主表示部に表示することを特徴とすることもできる。
【００６０】
これによって、自分と対面している風景などと自分とを同時に撮影しようとする場合に、自分自身の被写体像が左右反転した鏡に写った像のように表示され、風景などの被写体像が左右反転しないで表示される。
従って、撮影者が両方の被写体像を確認しながら撮影することができ、さらには自身の被写体像を日常鏡を見る感覚で確認できるので、撮影位置の修正等がし易く違和感が生じない。
【００６１】
本発明に係る表示制御プログラムは、移動端末装置に表示制御処理手順を実行させる表示制御プログラムであって、前記移動端末装置は、主操作面側に主表示部及び第１カメラが設けられる一方、主操作面の背面側に第２カメラが設けられ、前記第１カメラ及び前記第２カメラで撮影中の画像を前記主表示部に表示可能であり、前記表示制御処理手順は、前記画像の表示を制御する制御手順を含み、前記制御手順は、前記第１カメラ及び前記第２カメラによる同時撮影の指示を受けた場合、前記第１カメラで撮影中の第１画像をミラー画像で、及び、前記第２カメラで撮影中の第２画像を非ミラー画像で、前記主表示部に同時に表示することを特徴とする。また、前記制御手順は、前記第１画像及び前記第２画像を前記主表示部に同時に表示している場合、前記第２画像をミラー画像で前記移動端末装置の背面側に具備する副表示部に表示することを特徴とすることもできる。また、前記制御手順は、前記第１画像及び前記第２画像を前記主表示部に同時に表示している場合、画像データの記憶指示を受けたとき、前記第１画像及び前記第２画像を合成して得られる第３画像データを記憶部に記憶することを特徴とすることもできる。また、前記制御手順は、前記第１画像及び前記第２画像を合成する場合、ミラー画像で表示している前記第１画像を非ミラー画像にして合成することを特徴とすることもできる。また、前記制御手順は、前記第３画像データを前記記憶部に記憶する以前に、前記第１画像及び前記第２画像を合成して得られた第３画像を前記主表示部に表示することを特徴とすることもできる。
【００６２】
これによって、自分と対面している風景などと自分とを同時に撮影しようとする場合に、自分自身の被写体像が左右反転した鏡に写った像のように表示され、風景などの被写体像が左右反転しないで表示される。
従って、撮影者が両方の被写体像を確認しながら撮影することができ、さらには自身の被写体像を日常鏡を見る感覚で確認できるので、撮影位置の修正等がし易く違和感が生じない。
【図面の簡単な説明】
【図１】図１（ａ）〜（ｂ）は、本発明の実施の形態１における移動端末の外観を示す図であり、図１（ａ）は正面図、図１（ｂ）は背面図である。
【図２】図２は、本発明の実施の形態１における携帯電話の構成の概略を示す図である。
【図３】図３（ａ）は、第１カメラ１０１のスタンバイ中に、撮影すべき撮影者の像を示す図である。
図３（ｂ）は、第１カメラ１０１のスタンバイ中に、撮影者自身のミラー画像が表示されたメインディスプレイ１０６の例を示す図である。
【図４】図４（ａ）は、第２カメラ１０２のスタンバイ中に、被撮影者のミラー画像が表示されたサブディスプレイ１０７の例を示す図である。
図４（ｂ）は、第２カメラ１０２のスタンバイ中に、被撮影者の非ミラー画像が表示されたメインディスプレイ１０６の例を示す図である。
【図５】図５（ａ）は、第１カメラ１０１及び第２カメラ１０２のスタンバイ中に、被撮影者のミラー画像が表示されたサブディスプレイ１０７の例を示す図である。図５（ｂ）は、第１カメラ１０１及び第２カメラ１０２のスタンバイ中に、撮影者自身のミラー画像と被撮影者の非ミラー画像が表示されたメインディスプレイ１０６の例を示す図である。
【図６】図６は、本発明の実施の形態１における移動端末が実行する撮影動作の概略を示す図である。
【図７】図７は、本発明の実施の形態２における携帯電話の構成の概略を示す図である。
【図８】図８（ａ）は、折畳状態であると検出された場合に、撮影すべき撮影者の像を示す図である。
図８（ｂ）は、折畳状態であると検出された場合にに、撮影者自身のミラー画像が表示されたサブディスプレイ１０７の例を示す図である。
【図９】図９（ａ）は、展開状態であると検出された場合に、被撮影者のミラー画像が表示されたサブディスプレイ１０７の例を示す図である。
図９（ｂ）は、展開状態であると検出された場合に、撮影者自身のミラー画像と被撮影者の非ミラー画像が表示されたメインディスプレイ１０６の例を示す図である。
【図１０】図１０は、本発明の実施の形態２における移動端末が実行する撮影動作の概略を示す図である。
【符号の説明】
１００    携帯電話
１０１    第１カメラ
１０２    第２カメラ
１０３    第１画像処理部
１０４    第２画像処理部
１０５    制御部
１０６    メインディスプレイ
１０７    サブディスプレイ
１０８    記憶部
１０９    テンキー部
１１０    操作キー部
１１１    送受信部
１１２    タイマ部
１１３    電力供給部
１１４    音声入力部
１１５    音声出力部
２０１    検出部
２０２    制御部
【図１】
0004086526.tif 000002
【図２】
0004086526.tif 000003
【図３】
0004086526.tif 000004
【図４】
0004086526.tif 000005
【図５】
0004086526.tif 000006
【図６】
0004086526.tif 000007
【図７】
0004086526.tif 000008
【図８】
0004086526.tif 000009
【図９】
0004086526.tif 000010
【図１０】
0004086526.tif 000011